(57)【要約】【課題】第１筐体に対して第２筐体を開閉するときに第１筐体が歪んでしまう不具合を軽減することができる組立体および電子機器を提供する。【解決手段】第１筐体と、板材を収容した第２筐体と、第１筐体を、第２筐体の奥側で、第２筐体に対し開閉自在に連結する連結部を有し、連結部が、板材に締結された第１締結部を有する。第１筐体と第２筐体とを連結している連結部が、第２筐体に直接に固定されているのではなく、カバーの開口を塞ぐ板材に固定されているため、第１筐体を開閉するときのカバーの歪みを軽減することができる。【選択図】        図４１
2010009387.tif 000002
【特許請求の範囲】
【請求項１】
第１筐体と、
板材を収容した第２筐体と、
前記第１筐体を、前記第２筐体の一側辺側で、該第２筐体に対し開閉自在に連結する連結部とを備え、
前記連結部が、前記板材に締結された第１締結部を有することを特徴とする組立体。
【請求項２】
前記締結部がさらに、前記第２筐体の一側辺側の端面に締結される第２締結部を備え、前記第１締結部が前記第２締結部よりも前記一側辺に対向する他の側辺側に位置していることを特徴とする請求項１記載の組立体。
【請求項３】
前記締結部は、前記第１筐体を前記第２筐体に対し開閉させる水平な第１軸に加え、該第１筐体を該第２筐体に対し回動させる、該第１軸と交差する方向の第２軸を有することを特徴とする請求項１又は２項記載の組立体。
【請求項４】
第１筐体と、
板材を収容した第２筐体と、
前記第２筐体内に収容された電子部品と、
前記第１筐体を、前記第２筐体の一側辺側で、該第２筐体に対し開閉自在に連結する連結部とを有し、
前記連結部が、前記板材に締結された第１締結部を有することを特徴とする電子機器。
【請求項５】
前記板材は、前記電子部品で発生した熱の放熱を担うものであることを特徴とする請求項４記載の電子機器。
【請求項６】
前記第１筐体は、表示パネルを内蔵したものであり、
前記第２筐体は、前記板材上にキーボードユニットが搭載されたものであることを特徴とする請求項４又は５記載の電子機器。
【発明の詳細な説明】
【技術分野】
【０００１】
本発明は、第１筐体に対して第２筐体が開閉可能に連結された組立体、および電子部品を備えた電子機器に関する。
【背景技術】
【０００２】
ラップトップ型のパーソナルコンピュータや携帯電話機などの電子機器は、装置の小型・軽量化が強く要求されている。電子機器には、キーボードやプッシュボタン等が設けられた本体筐体に対し、表示画面が設けられた表示筐体を開閉自在に連結した構造が広く使用されている（例えば、特許文献１および特許文献２参照）。通常は、本体筐体と表示筐体それぞれにヒンジがネジ止めされることによって、本体筐体と表示筐体とが連結される。このような電子機器は、ユーザが本体筐体と表示筐体とが重なるように折り畳んで持ち運ぶことを可能とし、操作するときに表示筐体を開いてキーボードやプッシュボタンを利用することができるようにしている。これにより、電子機器は、キーボードやプッシュボタンなどを小型化することなく、装置の携帯性が向上されている。
【０００３】
また、表示装置の大型化に対する要求も多い。この要求に対し、薄型で軽量な液晶パネルを使った表示装置を適用したり、表示筐体の側面付近にまで表示画面を広げたワイド型の電子機器が提供されている。
【特許文献１】特開２００２−１４９２７４号公報
【特許文献２】特開２００５−２０８１４３号公報
【発明の開示】
【発明が解決しようとする課題】
【０００４】
しかし、大型の液晶パネルが搭載されたワイド型の電子機器では、表示筐体を開閉する際に、本体筐体の表面が膨らんだように歪んでしまう不具合の発生が懸念される。
【０００５】
上述した不具合の発生は、表示筐体と本体筐体とを連結している連結部材が本体筐体に直接的にネジ止めされているため、表示筐体の重量が大きいワイド型の電子機器では、表示筐体を開閉するときに本体筐体がひっぱられてしまうことに一因がある。上述した特許文献１には、電子部品が固定される中間シャーシにヒンジも固定されることが記載されているが、ヒンジと本体筐体の固定方法については記載されておらず、本体筐体の歪みの発生を軽減するという思想も示されていない。
【０００６】
また、近年では、表示筐体を本体筐体に対し回転させて、それらを表示画面が外側を向いた状態で重ねて利用するタブレットモードが搭載されたパーソナルコンピュータも用いられてきている。このタブレットモードを有するパーソナルコンピュータは、中央の一点でのみ連結するヒンジを採用するため、本体筐体の、ヒンジとの連結部分の歪みが発生する可能性はさらに増大する。
【０００７】
上記問題に鑑み、本件開示の組立体および電子機器の課題は、第１筐体に対して第２筐体を開閉するときに第１筐体が歪んでしまう不具合の発生を軽減することにある。
【課題を解決するための手段】
【０００８】
本件開示の組立体の基本形態は、
第１筐体と、
板材を収容した第２筐体と、
第１筐体を、第２筐体の一側辺側で、第２筐体に対し開閉自在に連結する連結部とを有し、
連結部が、板材に締結された第１締結部を有することを特徴とする。
【０００９】
本件開示の組立体の基本形態によると、第１筐体と第２筐体とを連結している連結部が、第２筐体に直接に固定されているのではなく、第２筐体に収容された板材に固定されているため、第１筐体を開閉するときの第２筐体の表面の歪みの発生を軽減することができる。
【００１０】
また、本件開示の電子機器の基本形態は、
第１筐体と、
板材を収容した第２筐体と、
第２筐体内に収容された電子部品と、
第１筐体を、第２筐体の一側辺側で、第２筐体に対し開閉自在に連結する連結部とを有し、
連結部が、板材に締結された第１締結部を有することを特徴とする。
【００１１】
例えば、キーボードを備えた電子機器では、ハードディスクなどといった精密な電子部品にキーボードが接触してしまわないように、電子部品が収容された本体筐体上に板金が嵌め込まれた上カバーが取り付けられ、その板金上にキーボードが載せられていることが多い。本件開示の電子機器によると、上カバーではなく板金に連結部材が取り付けられるため、表示筐体を開閉するときの本体筐体の歪みの発生を軽減することができる。
【発明の効果】
【００１２】
本発明によれば、第１筐体に対して第２筐体を開閉するときに第１筐体が歪んでしまう不具合の発生を軽減することができる。
【発明を実施するための最良の形態】
【００１３】
以下、図面を参照して、上記説明した基本形態に対する具体的な実施形態を説明する。
【００１４】
図１は、上述した電子機器の具体的な第１実施形態であるパーソナルコンピュータ１０の外観図である。
【００１５】
パーソナルコンピュータ１０は、本体ユニット２０と表示ユニット３０とを備えている。これら本体ユニット２０と表示ユニット３０は、表示ユニット３０が本体ユニット２０に対し矢印Ａ方向に開閉自在および矢印Ｂ方向（本体ユニット２０に対して垂直な回動軸のまわり）に回動自在となるように、二軸の連結部４０で連結されている。連結部４０は、上述した電子機器における連結部の一例に相当する。この図１には、表示ユニット３０が本体ユニット２０に対し開いた状態（開状態）にあるパーソナルコンピュータ１０が示されている。
【００１６】
本体ユニット２０は、上カバー２５Ａと下部筐体２５Ｂとで構成された本体筐体２５内に、ハードディスクや各種基板などといった電子部品を収容している。また、本体ユニット２０は、その上面に、複数のキー２１が並べられたキーボード、トラックパッド２２、左クリックボタン２３、右クリックボタン２４を備えている。本体筐体２５は、上述した電子機器における第２筐体の一例に相当する。
【００１７】
パーソナルコンピュータ１０の表示ユニット３０は、本体ユニット２０で実行された情報処理結果を表示するためのものである。表示ユニット３０は、前方カバー３４Ａおよび後方カバー３４Ｂによって構成された表示筐体３４の内部に、薄型の液晶パネルや、液晶パネル用の制御回路や、電磁誘導形デジタイザあるいはタッチパネルなどを収容している。表示筐体３４は、上述した電子機器における第１筐体の一例に相当する。また、表示筐体３４は、表示画面３１の下方に、複数の押ボタン３２を備えている。また、表示筐体３４は、その上端面に、表示筐体３４内に収容可能な収容型アンテナ５０を備えている。
【００１８】
図２は、表示ユニット３０を本体ユニット２０上に閉じた状態のパーソナルコンピュータ１０の前面側を示す外観斜視図である。図３は、図２に示す状態のパーソナルコンピュータ１０の背面側を示す外観斜視図である。
【００１９】
図２では、表示ユニット３０が、表示画面３１（図１参照）を本体ユニット２０に向けて重ねられた状態にある。以下では、これを第１の閉状態と称する。
【００２０】
図１に示す開状態にある表示ユニット３０が矢印Ａ方向に閉じられると、図２に示すように、表示画面３１が隠蔽されて、表示画面３１に対する裏面である表示筐体３４の背面側が露出される。この状態を第１の閉状態と称する。ユーザは、この第１の閉状態で、表示画面３１の汚れや破損を防止して、パーソナルコンピュータ１０を持ち運ぶことができる。
【００２１】
図３に示すように、本体ユニット２０の背面側に、ネジ２６が取り付けられている。ネジ２６は、連結部４０を本体ユニット２０に固定する。また、本体ユニット２０は、その背面側に吸気口２８を備える。吸気口２８は、本体ユニット２０の内部に空気を取り入れる。吸気口２８から取り入れられた空気は、各種電子部品で発生した熱を吸熱し、本体ユニット２０の側面に設けられた排気口（図示しない）から排気される。
【００２２】
図４は、表示ユニットが表示画面を上に向けて本体ユニット重ねられた状態を示す外観斜視図である。
【００２３】
図１に示す状態から表示ユニット３０を矢印Ｂ方向に１８０°回動させて、表示画面３１がキーボード２１とは反対側を向くように回し、その状態で、その表示ユニット３０の、表示画面３１に対する裏面を本体ユニット２０に向けて表示ユニット３０を本体ユニット２０に重ねると、図４に示す状態になる。この状態を第２の閉状態と称する。この第２の閉状態は、パーソナルコンピュータ１０をタブレットＰＣとして使用する形態である（タブレットモード）。
【００２４】
パーソナルコンピュータ１０は、基本的には以上のように構成されている。
【００２５】
続いて、このパーソナルコンピュータ１０の各部について細かく説明する。
（アンテナ）
まず、図１にも示す収容型アンテナ５０について説明する。
【００２６】
図５は、収容型アンテナ５０が表示ユニット３０内に収容された状態を示す図である。図６は、収容型アンテナ５０が表示ユニット３０に対して立てられた状態を示す図である。
【００２７】
表示筐体３４は、その上端面に、表示筐体３４の幅方向に沿って延びるアンテナ収容溝６１を備える。図５に示すように、収容型アンテナ５０は、アンテナ収容溝６１の内側に収容される（収容姿勢）。
【００２８】
また、アンテナ収容溝６１は、その端部に切り欠き６２を備える。ユーザは、切り欠き６２に指を入れて収容型アンテナ５０を引き上げることによって、図６に示すように、収容型アンテナ５０を表示筐体３４に対して立てることができる（突出姿勢）。
【００２９】
図７は、収容型アンテナ５０の分解図である。
【００３０】
収容型アンテナ５０は、板片形状の上カバー５１、アンテナ５２、および下カバー５３で構成されている。上カバー５１はその一端側に貫通孔５１ａを備える。アンテナ５２および下カバー５３は、貫通孔５１ａに対応する位置に、それぞれ貫通孔５２ａ、５３ａを備える。収容型アンテナ５０は、下カバー５３にアンテナ５２が嵌め込まれ、さらに下カバー５３に上カバー５１が装着されて組み立てられる。上カバー５１および下カバー５３は、例えば、エストラマ、ゴム（ＮＢＲ、シリコンゴム、ＣＲ）、シート（ＰＥＴ、ＰＣ）等のフレキシブル材で形成される。また、アンテナ５２は、ＦＰＣアンテナ、基板アンテナ、板金アンテナなどから任意のものを採用すればよい。
【００３１】
図８は、組み立てられた収容型アンテナ５０を上カバー５１側から見たときの斜視図である。
【００３２】
図８に示すように、収容型アンテナ５０は、挿通孔５４を備える。表示ユニット３０に設けられたボス８２Ａ（図９参照）が挿通孔５４に挿通される。挿通孔５４の縁を形成する軸受部分５５は、挿通孔５４を取り囲む複数の凹部５６を備える。挿通孔５４は半田付け、カシメ、接着、ネジ固定などの所定の固定方法でアンテナ５２にアンテナと導通するよう固定される。
【００３３】
図９は、表示ユニット３０の後方カバー３４Ｂを示す図である。
【００３４】
液晶モニタ３１Ａは、表示画面３１が前方を向くように後方カバー３４Ｂに装着される。後方カバー３４Ｂは、液晶モニタ３１Ａの脇の、あいたスペースに、カメラ基板モジュール７１や、内蔵型アンテナ（図示しない）や、図８に示す収容型アンテナ５０を固定するための固定金具８１等を収容する。固定金具８１は、ボス８２Ａ、ボス部材８２および板金部材８３を備える。ボス８２Ａは、収容型アンテナ５０の挿通孔５４に挿入される。ボス部材８２は、後方カバー３４Ｂに直接にネジ８０で固定される。板金部材８３は、ボス８２Ａに嵌め込まれることによって間接的に後方カバー３４Ｂに固定され、収容型アンテナ５０の軸受部分５５が突き当てられる。
【００３５】
図１０は、ボス部材８２および板金部材８３を示す図である。図１１は、ボス部材８２と板金部材８３とを組み立てた固定金具８１を示す図である。
【００３６】
ボス部材８２は、ボス８２Ａ、固定部８２Ｂ、足部８２Ｃを備える。ボス８２Ａは、板金部材８３および収容型アンテナ５０に挿通される。固定部８２Ｂは、表示ユニット３０の後方カバー３４Ｂに固定される。足部８２Ｃは、固定部８２Ｂとは逆方向に延びた部位である。板金部材８３は、係合部８３Ｂ、接地足片８３Ａを備える。係合部８３Ｂは、板金部材８３に挿通されたボス８２Ａを取り巻く。また、係合部８３Ｂは、その先端に凸部８３Ｃを備える。接地足片８３Ａは、係合部８３Ｂから延在してボス部材８２の足部８２Ｃを押接する。係合部８３Ｂは、板片形状を有しているために弾性を有する。
【００３７】
図１２は、図９に示す後方カバー３４Ｂから、液晶パネル３１Ａ、カメラ基板モジュール７１、および固定金具８１を取り外した状態を示す図である。
【００３８】
後方カバー３４Ｂは、金属部品１２０とプラスチック部品１１０とで構成されている。プラスチック部品１１０は金属部品１２０の外周を取り囲む。プラスチック部品１１０上にカメラ基板モジュール７１、内蔵型アンテナ（図示しない）、および収容型アンテナ５０が設置される。プラスチック部品１１０は、例えば内蔵型アンテナにより送受信される電波の通過を可能とする。また、プラスチック部品１１０には、金属製の接地用部品１３０が取り付けられている。接地用部品１３０は、金属部品１２０から収容型アンテナ５０の設置位置にまで延びる。
【００３９】
接地用部品１３０のリブ１３１上に固定金具８１が配置される。固定金具８１のボス部材８２とカメラ基板モジュール７１が図９に示すネジ８３で後方カバー３４Ｂに固定される。続いて、収容型アンテナ５０の挿通孔５４に固定金具８１のボス８２Ａが挿入される。このようにして、収容型アンテナ５０が後カバー３４Ｂに間接的に固定される。
【００４０】
収容型アンテナ５０は、金属部分１２０から延びる接地用部品１３０と固定金具８１とが接触することによって、間接的に金属部分１２０と接続されて接地されている。
【００４１】
また、挿通孔５４にボス８２Ａが挿入されることによって、板金部材８３（図１０）の凸部８３Ｃが収容型アンテナ５０の凹部５６（図８）に嵌る。
【００４２】
図１３は、板金部材８３の凸部８３Ｃと収容型アンテナ５０の凹部５６との位置関係を示す図である。
【００４３】
図５に示すように収容型アンテナ５０がアンテナ収容溝６１内に収容されている状態では、図１３（Ａ）に示すように、板金部材８３の凸部８３Ｃが収容型アンテナ５０の凹部５６に嵌っている。
【００４４】
ユーザが表示ユニット３０の切り欠き６２に指を入れて収容型アンテナ５０を引き上げると、収容型アンテナ５０はボス８２Ａを軸に回動し、板金部材８３の凸部８３Ｃと収容型アンテナ５０の凹部５６との係合が外れる。このとき、図１３（Ｂ）に示すように、板金部材８３の係合部８３Ｂが収容型アンテナ５０の軸受部分５５によって変形され、凸部８３Ｃが押し下げられるため、ユーザは容易に収容型アンテナ５０を回動させることができる。図１３（Ｂ）に示す状態からさらに収容型アンテナ５０を回動させると、板金部材８３の凸部８３Ｃは、収納型アンテナ５０の収容姿勢時に嵌まっていた収容型アンテナ５０の凹部５６と異なる凹部５６に嵌って再び図１３（Ａ）に示す状態になる。この結果、図６に示すように、収容型アンテナ５０が表示ユニット３０に対して９０°立った状態で保持される。
【００４５】
このように、本実施形態によると、収容姿勢と突出姿勢間で可動する収容型アンテナ５０を多くのスペースを必要とすることなく電子機器に搭載することができる。これにより、電子機器の表示ユニット３０内の液晶パネル３１の脇の狭い隙間に、内蔵型アンテナと収容型アンテナ５０との双方を取り付けることができ、通信性能を高めることができる。また、通信機能を利用していないときなどには、収容型アンテナ５０を表示筐体内に収容することができるとともに、電波の状態が悪い場所では、収容型アンテナ５０を立てて利用することができる。
【００４６】
ここで、本実施形態の説明を一旦中断し、収容型アンテナを備えた別バージョンのパーソナルコンピュータについて説明する。
【００４７】
まずは、表示ユニットにアンテナとして収容型アンテナ５０のみを備えたパーソナルコンピュータについて説明する。
【００４８】
液晶パネル３１の脇に内蔵型アンテナを搭載する場合、内蔵型アンテナが配置される部分は電波を通すプラスチック等で構成されている必要があるが、収容型アンテナ５０は筐体外に立てて利用されるため、配置箇所が金属で構成されていてもよい。
【００４９】
図１４は、収容型アンテナ５０のみを備えたパーソナルコンピュータ１１の、表示ユニットの後方カバー３４＿１Ｂを示す図である。
【００５０】
図１４に示す別バージョンのパーソナルコンピュータ１１では、後方カバー３４＿１Ｂの、液晶パネル３１や収容型アンテナ５０が取り付けられる面全体が金属で構成される。ボス８２＿１Ａは、後方カバー３４＿１Ｂ自体から突出したものとして形成されている。従って、ボス８２＿１Ａも後方カバー３４＿１Ｂと同様に金属で構成されている。このように、収容型アンテナ５０が取り付けられる面全体が金属で構成されている場合、収容型アンテナ５０の挿通孔５４をボス８２＿１Ａに挿入すれば収容型アンテナ５０が接地される。そのため、接地用部品１３０（図１２参照）やボス部材８２（図９参照）を省くことができる。しかし、収容型アンテナ５０だけでは電波の受信強度が不十分の場合、図９に示すように、アンテナの設置部分をプラスチックなどで構成し、内蔵型アンテナと収容型アンテナの両方を搭載することが好ましい。
【００５１】
続いて、収容型アンテナ５０の回動軸が表示ユニット３０＿２の隅に設けられたパーソナルコンピュータ１２について説明する。
【００５２】
図１５は、収容型アンテナ５０の回動軸が表示ユニット３０＿２の隅に設けられたパーソナルコンピュータ１２の、表示ユニット３０＿２の後方カバーを示す図である。
【００５３】
図１５に示すパーソナルコンピュータ１２では、表示ユニット３０＿２の４隅のうちの少なくとも１隅（本実施形態では左上側）にボス８２＿２Ａが形成されている。また、ボス８２＿２Ａの根元には、相互に離れた位置に４つのリブ８４が表示ユニット３０＿２に形成されている。
【００５４】
図１６は、図１５に示すパーソナルコンピュータ１２のボス８２＿２Ａに嵌め込まれる板金部材９０を示す図である。
【００５５】
図１６に示す板金部材９０は、ボス８２＿２Ａが挿入される貫通孔が設けられた本体９１の上面の相互に離れた位置に２つの凸部９２を備えている。なお、この板金部材９０は、図１０に示す板金部材８３と異なり、接地足片８３Ａを備えていない。
【００５６】
図１７は、図１５に示す後方カバーに板金部材９０が取り付けられた状態を示す図である。
【００５７】
板金部材９０は、表示ユニット３０＿２の各リブ８４と各凸部９２との位置がずれた状態で、ボス８２＿２Ａに装着される。さらに、板金部材９０の凸部９２に、図８に示す収容型アンテナ５０の凹部５６が嵌るように収容型アンテナ５０が装着される。
【００５８】
図１８は、収容型アンテナ５０が表示ユニット３０＿２内に収容された状態を示す図である。図１９は、収容型アンテナ５０が表示ユニット３０＿２に対して９０°立てられた状態を示す図である。図２０は、収容型アンテナ５０が表示ユニット３０＿２に対して１８０°開かれた状態を示す図である。
【００５９】
このパーソナルコンピュータ１２では、アンテナ収容溝６１が表示ユニット３０＿２の周縁の１辺において表示ユニット３０＿２の中央寄りから隅にまで延びている。収容型アンテナ５０は、表示ユニット３０＿２内に収容された収容姿勢からボス８２＿２Ａを中心に９０°回動されて表示ユニット３０＿２から突出した第１の突出姿勢と、ボス８２＿２Ａを中心に１８０°回動されて表示ユニット３０＿２から突出した第２の突出姿勢とに調整可能である。ここで、アンテナ収容溝６１が設けられる周縁の辺は、表示ユニット３０＿２の上辺、２つの側辺のいずれかであってもよい。
【００６０】
図２１は、板金部材９０の凸部９２と収容型アンテナ５０の凹部５６との位置関係を示す図である。
【００６１】
図１８に示すように収容型アンテナ５０が表示ユニット３０＿２内に収容された状態では、図２１（Ａ）に示すように、板金部材９０の凸部９２が収容型アンテナ５０の凹部５６に嵌っている。
【００６２】
ユーザが収容型アンテナ５０を引き上げると、収容型アンテナ５０はボス８２＿２Ａを軸に回動し、図２１（Ｂ）に示すように、板金部材９０の凸部９２が収容型アンテナ５０の凹部５６から抜ける。このパーソナルコンピュータ１２では、表示ユニット３０＿２のリブ８４と板金部材９０の凸部９２とが相互に異なる位置に配置されているため、収容型アンテナ５０を回動させると凸部９２が本体９１の弾性によって押し下げられ、収容型アンテナ５０と板金部材９０との係合を解除することができる。
【００６３】
収容型アンテナ５０の回動を続けると、板金部材９０の凸部９２が収容型アンテナ５０の凹部５６に嵌って、収容型アンテナ５０が表示ユニット３０＿２に対して９０°立てられた状態で係止される（図１９参照）。さらにその状態から収容型アンテナ５０を回動させると、収容型アンテナ５０が表示ユニット３０＿２に対して１８０°開かれた状態で係止される（図２０参照）。
【００６４】
このように、パーソナルコンピュータ１２では、電波状態や使用場所などによって収容型アンテナ５０を異なる角度で保持することができ、使用範囲を広げることができる。
【００６５】
なお、本実施形態では収容型アンテナ５０を表示ユニット３０、３０＿２に搭載する例を示したが、本体ユニット２０に搭載してもよい。本体ユニット２０に収容型アンテナ５０を搭載する実施形態においても、収納型アンテナ５０を収容姿勢と突出姿勢間で可動する収容型アンテナ５０を多くのスペースを必要とすることなく電子機器に搭載することができる。
【００６６】
以上でアンテナの説明を終了する。
【００６７】
続いて、図１に示すパーソナルコンピュータ１０に戻り、パーソナルコンピュータ１０の表示筐体３４について説明する。
（表示筐体）
図１２にも示すように、表示筐体３４の後方カバー３４Ｂは、金属部品１２０の外周をプラスチック部品１１０が取り囲んだ構成を有している。
【００６８】
図２２は、従来の後方カバー２００の一例を示す図である。
【００６９】
落下などの衝撃から液晶パネル３１Ａを保護するために、後方カバー全体を高強度な金属で構成してしまうと、内蔵型アンテナを液晶パネル３１Ａの脇に配置することができなくなってしまう。このため、従来から、図２２に示すように、液晶パネル３１Ａのサイズよりも大型のプラスチック部品２２０に、液晶パネル３１Ａの形状に合わせた金属部品２１０を接着することが行われている。このような構造の後方カバー２００では、表示ユニットを本体ユニットに対して開閉するときなどに、連結部が取り付けられる取付部２２１付近に強い力がかかる。このような力は取付部２２１に近い側の接着境界Ｐに集中し、経年疲労により金属部品２１０がプラスチック部品２２０から剥がれてしまいかねない。本実施形態のパーソナルコンピュータ１０では、プラスチック部品と金属部品との接着面に工夫を施すことによって、このような不具合が発生することを防止している。
【００７０】
図２３は、後方カバー３４Ｂの、液晶パネル３１Ａが装着された前面側を示す図である。図２４は、図２３に示す後方カバー３４Ｂの背面側を示す図である。
【００７１】
後方カバー３４Ｂの前面側は、液晶パネル３１Ａがプラスチック部品１１０で取り囲まれている。プラスチック部品１１０は、後方カバー３４Ｂの外形（矩形）を形成している。プラスチック部品１１０は、その下端に、連結部４０が取り付けられる取付部１１１を備えている。
【００７２】
また、後方カバー３４Ｂの背面側は、全面にわたってプラスチック部品１１０が露出している。このプラスチック部品１１０の上に化粧カバー（図示しない）が装着される。
【００７３】
図２５は、図２３に示す後方カバー３４Ｂから液晶パネル３１Ａを取り外した状態を示す図である。
【００７４】
図２５に示すように、後方カバー３４Ｂは、一体成形と接着によってプラスチック部品１１０の前面側に金属部品１２０が嵌め込まれて構成されている。また、プラスチック部品１１０と金属部品１２０は、後方カバー３４Ｂの幅方向における端部分に近いほど接着面積が大きくなっている。それらの接着境界Ｑが取付部１１１を極点として幅方向に広がる円弧形状を有している。このため、連結部４０にかかる力がプラスチック部品１１０と金属部品１２０の接着境界Ｑに集中せずに分散され、金属部品１２０がプラスチック部品１１０から剥がれてしまう不具合の発生を防止することができる。
【００７５】
また、図２５では、プラスチック部品１１０と金属部品１２０との接着境界Ｑが取付部１１１を極点として幅方向に広がる円弧形状を有しているが、プラスチック部品１１０と金属部品１２０との接着面は、接着面積が後方カバー３４Ｂの幅方向における中央部分と端部分とで異なっていればよい。
【００７６】
図２６は、図２５とは異なるバージョンの後方カバーの一例を示す図である。
【００７７】
この後方カバー３４Ｂ´では、プラスチック部品１１０´と金属部品１２０´との接着面の面積が、後方カバー３４Ｂ´の幅方向における中央部分ほど大きく、それらの接着境界は直線形状を有している。このように、プラスチック部品１１０´と金属部品１２０´との接着面積が、後方カバー３４Ｂ´の幅方向における端部分ほど小さい場合にも、金属部品１２０´が剥がれてしまう不具合の発生を軽減する効果がある。
【００７８】
なお、プラスチック部品１１０、１１０´は、その材料として、一般的なプラスチックの他に、ガラス繊維入りやカーボン入りなどの強化プラスチックを採用してもよい。また、金属部品１２０、１２０´は、その材料として、マグネシウム合金、アルミニウム、チタンなどを採用し得る。また、金属部品１２０、１２０´は、カーボン板等の他の材質の部品に換えてもよい。
【００７９】
続いて、パーソナルコンピュータ１０のキーボードの取付方法について説明する。
（キーボードの取付方法）
図１に示す本体筐体２５は、上カバー２５Ａと下部筐体２５Ｂとで構成される空間内に電子部品を収容している。また、上カバー２５Ａは、その上面側に、複数のキー２１が並べられた樹脂製のキーボードが搭載されるとともに、連結部４０を隠蔽するための連結部カバー３１０（図２７参照）が嵌め込まれる。
【００８０】
図２７は、連結部カバー３１０の拡大図である。図２８は、連結部カバー３１０を外した状態のパーソナルコンピュータ１０を示す図である。
【００８１】
図２７に示すように、連結部カバー３１０は、連結部カバー３１０と本体ユニット２０とを固定するためのネジ穴３１１を備えている。図２８に示すように、本体ユニット２０に連結部４０を取り付けた状態では、連結部４０や配線などが露出する。連結部カバー３１０は、本体ユニット２０に取り付けられることによってそれらを隠蔽する。
【００８２】
図２９は、キーボード３２０を示す図である。図３０は、キーボード３２０を取り外した状態のパーソナルコンピュータ１０を示す図である。
【００８３】
キーボード３２０は、シートとそのシート上に所定の配列で配置された複数のキー２１で構成される。また、キーボード３２０は、キーボード３２０の基本体の前側と後側の周縁部分に、本体ユニット２０の上カバー２５Ａにキーボード３２０を取り付けるための周縁部分から突出した複数の取付片３２１を備える。この取付片３２１は取付部の一例である。図３０に示すように、上カバー２５Ａは開口３１１を備える。その開口３１１を塞ぐように金属板３３２が本体ユニット２０に固定されている。
【００８４】
図３１は、上カバー２５Ａの上面を示す図である。図３２は、上カバー２５Ａの下面を示す図である。
【００８５】
上カバー２５Ａは、複数の取付穴３３３を備える。この取付穴３３３は固定部の一例である。キーボード３２０は、取付片３２１が取付穴３３に挿入されて金属板３３２上に固定して搭載される。また、図３２に示すように、金属板３３２は、図３１に示す開口３１１を下面側から塞ぐように、上カバー２５Ａの下面側にネジ３３４で固定されている。
【００８６】
図３３は、本体ユニット２０から上カバー２５Ａを取り外した状態を示す図である。
【００８７】
下部筐体２５Ｂは、ハードディスク装置や各種基板などといった電子部品４１０を収容している。下部筐体２５Ｂに上カバー２５Ａが固定されると、電子部品４１０が上カバー２５Ａに嵌め込まれた金属板３３２と接触する。このように、上カバー２５Ａの、キーボード３２０が搭載される部分を金属で構成することによって、電子部品４１０で発生した熱は金属板３３２により吸熱され放熱される。
【００８８】
図３３に示す下部筐体２５Ｂに上カバー２５Ａが装着され、上カバー２５Ａの取付穴３３３にキーボード３２０の取付片３２１が挿し込まれることによって、金属板３３２上にキーボード３２０が搭載される。なお、キーボード３２０を上カバー２５Ａに搭載するための構造として、取付片３２１を上カバー２５Ａにネジで固定する構造や、キーボード３２０にスライド式のツメを設けてそのツメを上カバー２５Ａに引っかける構造などを採用し得る。また、キーボード３２０の取付片３２１を上カバー２５Ａにネジ止めする構造を採用してもよい。
【００８９】
図３４は、金属板３３２上に搭載されたキーボード３２０を、パーソナルコンピュータ１０の奥行き方向に切断したときの断面図である。
【００９０】
図３４に示すように、金属板３３２は、キーボード３２０の取付片３２１が設けられた前端側と後端側は薄く、取付片３２１が設けられた側から遠い中央付近ほど厚く形成されている。このため、キーボード３２０は、前端側と後端側それぞれを端部とする円弧状に上向きに反った状態で搭載されることとなり、ユーザがキーボード３２０を打鍵時する際のキーボード３２０の沈み感を軽減することができる。
【００９１】
なお、この金属板３３２の断面形状は、図３４のように中央付近に向けてキーボードの周囲から奥行き方向になだらかに盛り上がった厚みの形状だけではなく、中央部分だけが盛り上がった厚みの形状でもよい。また、盛り上がり形状を厚みの違いで形成するのではなく、均一の厚みの金属板の中央部部分を絞って段差を作って同等の形状にしてもよい。また、１つの部品ではなく、例えば、平板とその平板上に他の部品を貼り付けて中央部分が盛り上がった形状を形成するように複数の部品で構成してもよい。この場合に、貼り付ける部品は単一の部品でもいいし、複数個の部品でもよい。
【００９２】
また、本実施形態ではキーボード３２０の前後方向（奥行き方向）に断面が凸形状になる構成としたが、キーボード３２０の左右方向に断面が凸形状になる構造としてもよい。この場合は、キーボード３２０の取付片３２１はキーボード３２０の側端側に設けることになる。
【００９３】
図３５は、キーボード３２０が上カバー２５Ａに装着された状態における取付片３２１付近の断面図である。
【００９４】
図３５に示すように、上カバー２５Ａに設けられた取付穴３３３は、キーボード３２０の取付片３２１が設けられた位置よりも下側に設けられている。したがって、取付片３２１は、取付片３２１に水平な基準面Ｒよりも下側に入り込んで上カバー２５Ａに固定されるため、キーボード３２０が上方向に反らされることとなる。このように、取付穴３３３の位置を基準面Ｒよりも下側に設けることによって、キーボード３２０をさらに確実に上向きに反らせることができ、キーボード３２０の良好な操作感を長期にわたって維持することができる。
【００９５】
実際に、キーボード３２０を金属板３３２に対して０．１ｍｍほど上向きに反らせることによって、キー２１を押すときのふわふわとした違和感がなくなり、良好な操作感を得ることができた。
【００９６】
続いて、本体筐体２５への連結部４０の取付方法について説明する。
（連結部の取付方法）
図３６は、本体筐体２５に取り付ける前の連結部４０を前方から見た拡大図である。図３７は、本体筐体２５に取り付ける前の連結部４０を後方から見た拡大図である。
【００９７】
連結部４０は、第１部材４１、第２部材４２、前面締結部４３および背面締結部４４を有する。第１部材４１は、水平な第１軸（矢印Ａ´方向）を中心に表示ユニット３０を開閉させる。第２部材４２は、第１軸と交わる第２軸（矢印Ｂ´方向）を中心に表示ユニット３０を回動させる。前面締結部４３は、前面側で本体筐体２５の金属板３３２に設けられた固定位置４１０にネジ留めされる。背面締結部４４は、背面側で本体筐体２５の下部筐体２５Ｂに設けられた固定位置４２０にネジ留めされる。本体筐体２５の前面側が一側辺側に相当し、本体筐体２５の背面側が前面側に対向する他の側辺側に相当する。
【００９８】
図３８は、本体筐体２５に取り付けられた連結部４０を前方から見た拡大図である。図３９は、本体筐体２５に取り付けられた連結部４０を後方から見た拡大図である。
【００９９】
連結部４０は、前面締結部４３にねじ２７が締結されることによって、パーソナルコンピュータ１０の前面側で金属板３３２に固定されるとともに、背面締結部４４にねじ２６が締結されることによって、パーソナルコンピュータ１０の背面側で下部筐体２５Ｂに固定される。
【０１００】
図４０は、従来のパーソナルコンピュータを奥行き方向に切断したときの断面図である。
【０１０１】
図４０に示すように、従来のパーソナルコンピュータでは、連結部５３０は、ねじ５４２で本体ユニット５２０の上カバー５２１を挟んで下部筐体５２２に固定されており、さらに、ねじ５４１によって表示ユニット５１０の軸５１１よりも前方で下部筐体５２２に固定されている。このため、表示ユニット５１０を本体ユニット５２０に対して開閉するときに連結部５３０が引っ張られると、ねじ５４１，５４２で連結部５３０に固定された上カバー５２１の表面が膨らんだように歪んでしまうという不具合の発生が懸念される。
【０１０２】
図４１は、本実施形態のパーソナルコンピュータ１０を奥行き方向に切断したときの断面図である。
【０１０３】
本実施形態のパーソナルコンピュータ１０では、連結部４０は、ねじ２７によって金属板３３２に固定されている。表示ユニット３０を開閉するときに連結部４０が引っ張られても、その力は金属板３３２を介して上カバー２５Ａに伝えられるため、上カバー２５Ａの変形を防止することができる。また、連結部４０は、ねじ２６によって本体ユニット２０の背面側で下部筐体２５Ｂにも固定されているが、上カバー２５Ａの表面とは離れた位置で固定されているため、上カバー２５Ａへの影響を軽減することができる。
【０１０４】
このように、本実施形態のパーソナルコンピュータ１０によると、表示ユニットを開閉するときに上カバーの表面が歪んでしまう不具合の発生を軽減することができる。
【０１０５】
ここで、上記では、電子機器の一例としてタブレット型のパーソナルコンピュータが示されているが、本件開示の電子機器は、タブレット機能を有していないパーソナルコンピュータであってもよく、ＰＤＡ、ゲーム機、電子手帳などに適用してもよい。
【０１０６】
また、上記では、表示パネルの一例として液晶パネルが示されているが、本件開示の電子機器に搭載される表示パネルは、プラズマディスプレイや電界放出ディスプレイ、有機ＥＬディスプレイなどであってもよい。
【０１０７】
以下、本発明の各種形態について付記する。
【０１０８】
（付記１）
第１筐体と、
板材を収容した第２筐体と、
前記第１筐体を、前記第２筐体の一側辺側で、該第２筐体に対し開閉自在に連結する連結部とを備え、
前記連結部が、前記板材に締結された第１締結部を有することを特徴とする組立体。
【０１０９】
（付記２）
前記締結部がさらに、前記第２筐体の一側辺側の端面に締結される第２締結部を備え、前記第１締結部が前記第２締結部よりも前記一側辺に対向する他の側辺側に位置していることを特徴とする付記１記載の組立体。
【０１１０】
（付記３）
前記板材が、該板材の、前記第１締結部が締結された位置とは異なる位置で前記第２筐体に固定されていることを特徴とする付記１又は２記載の組立体。
【０１１１】
（付記４）
前記第２筐体が、下部筐体と上カバーとを有し、前記板材が該上カバーに固定されたものであることを特徴とする付記１から３のうちのいずれか１項記載の組立体。
【０１１２】
（付記５）
前記上カバーが開口を有し、前記板材が該開口を下から塞いで該上カバーに固定されたものであることを特徴とする付記１から４のうちのいずれか１項記載の組立体。
【０１１３】
（付記６）
前記締結部は、前記第１筐体を前記第２筐体に対し開閉させる、水平な第１軸に加え、該第１筐体を該第２筐体に対し回動させる、該第１軸と交差する方向の第２軸を有することを特徴とする付記１から５のうちのいずれか１項記載の組立体。
【０１１４】
（付記７）
第１筐体と、
板材を収容した第２筐体と、
前記第２筐体内に収容された電子部品と、
前記第１筐体を、前記第２筐体の一側辺側で、該第２筐体に対し開閉自在に連結する連結部とを有し、
前記連結部が、前記板材に締結された第１締結部を有することを特徴とする電子機器。
【０１１５】
（付記８）
前記板材は、前記電子部品で発生した熱を放熱するものであることを特徴とする付記７記載の電子機器。
【０１１６】
（付記９）
前記第１筐体は、表示パネルを内蔵したものであり、
前記第２筐体は、前記板材上にキーボードユニットが搭載されたものであることを特徴とする付記７又は８記載の電子機器。
【図面の簡単な説明】
【０１１７】
【図１】電子機器の具体的な第１実施形態であるパーソナルコンピュータの外観図である。
【図２】表示ユニットを本体ユニット上に閉じた状態のパーソナルコンピュータの前面側を示す外観斜視図である。
【図３】図２に示す状態のパーソナルコンピュータの背面側を示す外観斜視図である。
【図４】表示ユニットが表示画面を上に向けて本体ユニット重ねられた状態を示す外観斜視図である。
【図５】収容型アンテナが表示ユニット内に収容された状態を示す図である。
【図６】収容型アンテナが表示ユニットに対して立てられた状態を示す図である。
【図７】収容型アンテナの分解図である。
【図８】組み立てられた収容型アンテナを上カバー側から見たときの斜視図である。
【図９】表示ユニットの後方カバーを示す図である。
【図１０】ボス部材および板金部材を示す図である。
【図１１】ボス部材と板金部材とを組み立てた固定金具を示す図である。
【図１２】図９に示す後方カバーから、液晶パネル、カメラ基板モジュール、および固定金具を取り外した状態を示す図である。
【図１３】板金部材の凸部と収容型アンテナの凹部との位置関係を示す図である。
【図１４】収容型アンテナのみを備えたパーソナルコンピュータの、表示ユニットの後方カバーを示す図である。
【図１５】収容型アンテナの回動軸が表示ユニットの隅に設けられたパーソナルコンピュータの、表示ユニットの後方カバーを示す図である。
【図１６】図１５に示すパーソナルコンピュータのボスに嵌め込まれる板金部材を示す図である。
【図１７】図１５に示す後方カバーに板金部材が取り付けられた状態を示す図である。
【図１８】収容型アンテナが表示ユニット内に収容された状態を示す図である。
【図１９】収容型アンテナが表示ユニットに対して９０°立てられた状態を示す図である。
【図２０】収容型アンテナが表示ユニットに対して１８０°開かれた状態を示す図である。
【図２１】板金部材の凸部と収容型アンテナの凹部との位置関係を示す図である。
【図２２】従来の後方カバーの一例を示す図である。
【図２３】後方カバーの、液晶パネルが装着された前面側を示す図である。
【図２４】図２３に示す後方カバーの背面側を示す図である。
【図２５】図２３に示す後方カバーから液晶パネルを取り外した状態を示す図である。
【図２６】図２５とは異なるバージョンの後方カバーの一例を示す図である。
【図２７】連結部カバーの拡大図である。
【図２８】連結部カバーを外した状態のパーソナルコンピュータを示す図である。
【図２９】キーボードを示す図である。
【図３０】キーボードを取り外した状態のパーソナルコンピュータを示す図である。
【図３１】上カバーの上面を示す図である。
【図３２】上カバーの下面を示す図である。
【図３３】表示ユニットから上カバーを取り外した状態を示す図である。
【図３４】金属板上に搭載されたキーボードを、パーソナルコンピュータの奥行き方向に切断したときの断面図である。
【図３５】キーボードが上カバーに装着された状態における取付片付近の断面図である。
【図３６】本体筐体に取り付ける前の連結部を前方から見た拡大図である。
【図３７】本体筐体に取り付ける前の連結部を後方から見た拡大図である。
【図３８】本体筐体に取り付けられた連結部を前方から見た拡大図である。
【図３９】本体筐体に取り付けられた連結部を後方から見た拡大図である。
【図４０】従来のパーソナルコンピュータを奥行き方向に切断したときの断面図である。
【図４１】本実施形態のパーソナルコンピュータを奥行き方向に切断したときの断面図である。
【符号の説明】
【０１１８】
１０    パーソナルコンピュータ
２０    本体ユニット
２１    キー
２２    トラックパッド
２３    左クリックボタン
２４    右クリックボタン
２５    本体筐体
２５Ａ    上カバー
２５Ｂ    下部筐体
２８    吸気口
３０    表示ユニット
３１    表示画面
３１Ａ    液晶モニタ
３２    押しボタン
３４    表示筐体
３４Ａ    前方カバー
３４Ｂ    後方カバー
４０    連結部
５０    収容型アンテナ
６１    アンテナ収容溝
６２    切り欠き
５１    上カバー
５２    アンテナ
５３    下カバー
５１ａ，５２ａ，５３ａ    貫通孔
５４    挿通孔
５５    軸受部分
５６    凹部
７１    内蔵型アンテナ
８１    固定金具
８２    ボス部材
８２Ａ    ボス
８２Ｂ    固定部
８２Ｃ    足部
８３    板金部材
８３Ａ    接地足片
８３Ｂ    係合部
１１０    プラスチック部品
１２０    金属部品
【図１】
2010009387.tif 000003
【図２】
2010009387.tif 000004
【図３】
2010009387.tif 000005
【図４】
2010009387.tif 000006
【図５】
2010009387.tif 000007
【図６】
2010009387.tif 000008
【図７】
2010009387.tif 000009
【図８】
2010009387.tif 000010
【図９】
2010009387.tif 000011
【図１０】
2010009387.tif 000012
【図１１】
2010009387.tif 000013
【図１２】
2010009387.tif 000014
【図１３】
2010009387.tif 000015
【図１４】
2010009387.tif 000016
【図１５】
2010009387.tif 000017
【図１６】
2010009387.tif 000018
【図１７】
2010009387.tif 000019
【図１８】
2010009387.tif 000020
【図１９】
2010009387.tif 000021
【図２０】
2010009387.tif 000022
【図２１】
2010009387.tif 000023
【図２２】
2010009387.tif 000024
【図２３】
2010009387.tif 000025
【図２４】
2010009387.tif 000026
【図２５】
2010009387.tif 000027
【図２６】
2010009387.tif 000028
【図２７】
2010009387.tif 000029
【図２８】
2010009387.tif 000030
【図２９】
2010009387.tif 000031
【図３０】
2010009387.tif 000032
【図３１】
2010009387.tif 000033
【図３２】
2010009387.tif 000034
【図３３】
2010009387.tif 000035
【図３４】
2010009387.tif 000036
【図３５】
2010009387.tif 000037
【図３６】
2010009387.tif 000038
【図３７】
2010009387.tif 000039
【図３８】
2010009387.tif 000040
【図３９】
2010009387.tif 000041
【図４０】
2010009387.tif 000042
【図４１】
2010009387.tif 000043